(57)【要約】【課題】商品との関係において、その使用対象部位の表面積の大きさを、顧客に印象的に示すことのできる、優れた販売促進用シートを提供する。【解決手段】所定の部位に商品を塗布する等して使用する商品に関し、上記使用対象部位の表面積Ｓの大きさを印象付けて販売促進を行うための販売促進用シートであって、シート面の面積が、上記使用対象部位の表面積Ｓと略一致するよう設定され、常態では折り畳まれており、その折り畳まれた状態で表われる少なくとも一つの面１ａに、上記使用対象部位の表面積Ｓについての説明表示部が設けられている。【選択図】図２
2004020985.tif 000002
【特許請求の範囲】
【請求項１】
所定の部位に商品を塗布する等して使用する商品に関し、上記使用対象部位の表面積Ｓの大きさを印象付けて販売促進を行うための販売促進用シートであって、シート面の面積が、上記使用対象部位の表面積Ｓと略一致するよう設定され、常態では折り畳まれており、その折り畳まれた状態で表われる少なくとも一つの面に、上記使用対象部位の表面積Ｓについての説明表示部が設けられていることを特徴とする販売促進用シート。
【請求項２】
所定の部位に商品を塗布する等して使用する商品に関し、上記使用対象部位の表面積Ｓの大きさを印象付けて販売促進を行うための販売促進用シートであって、上記シート面の面積が、上記使用対象部位の表面積Ｓより大きめに設定されているとともに、その片方の面に、上記使用対象部位が、その表面積Ｓと略一致する大きさで模式的に表示され、常態では折り畳まれており、その他方のシート面のうち、折り畳まれた状態で表われる少なくとも一つの面に、上記使用対象部位の表面積Ｓについての説明表示部が設けられていることを特徴とする販売促進用シート。
【請求項３】
商品が化粧料であって、シートが８１３ｍｍ×５４６ｍｍの一般新聞紙サイズに設定されており、これが８分の１の大きさに折り畳まれている請求項１記載の販売促進用シート。
【請求項４】
商品が化粧料であって、シートが９００〜１２００ｍｍ×６００〜９００ｍｍの長方形に設定されており、その片方の面に、顔の面積が４０００００〜５０００００ｍｍ２　の女性の顔が模式的に表示されている請求項２記載の販売促進用シート。
【発明の詳細な説明】
【０００１】
【発明の属する技術分野】
本発明は、化粧料等の商品の販売促進を行う際に用いられる販売促進用シートに関するものである。
【０００２】
【従来の技術】
ローションや乳液等の化粧料の１回の適正な使用量はだいたい決まっており、それより多くては経済的でなく、それより少なくては化粧料を顔全体にゆきわたらせることができず効果が充分に得られない。しかしながら、顧客は、１回分を控えめにすることが多く、せっかく高品質の化粧料を使っていても、その効果を充分に得ることができない場合が多い。
【０００３】
【発明が解決しようとする課題】
そこで、化粧料を１回分ずつ分包することや、ローションのキャップを１回分だけ計量できるサイズにすることが提案されているが、化粧料の１回の使用量は比較的少量であることから、包材やキャップに残留する化粧料の無駄が多く、好ましくない。
【０００４】
一方、顔の表面積は、しわや皮溝を全部伸ばすと、大体、一般新聞紙１枚分の大きさ（４４００００ｍｍ２　前後）になることがわかっているが、顧客にはそのことがあまり知られていないため、化粧料１回の使用量が、目に見える顔の面積に比べて多すぎるような印象を与えているのではないか、との意見がある。そこで、顔の表面積の大きさを、顧客に印象的にアピールすることが検討されており、実用的で効果の高いアピール手段の開発が強く望まれている。
【０００５】
本発明は、このような事情に鑑みなされたもので、顔に限らず、商品との関係において、その使用対象部位の表面積の大きさを、顧客に印象的に示すことのできる、優れた販売促進用シートの提供をその目的とする。
【０００６】
【課題を解決するための手段】
上記の目的を達成するため、本発明は、所定の部位に商品を塗布する等して使用する商品に関し、上記使用対象部位の表面積Ｓの大きさを印象付けて販売促進を行うための販売促進用シートであって、シート面の面積が、上記使用対象部位の表面積Ｓと略一致するよう設定され、常態では折り畳まれており、その折り畳まれた状態で表われる少なくとも一つの面に、上記使用対象部位の表面積Ｓについての説明表示部が設けられている販売促進用シートを第１の要旨とする。
【０００７】
また、本発明は、所定の部位に商品を塗布する等して使用する商品に関し、上記使用対象部位の表面積Ｓの大きさを印象付けて販売促進を行うための販売促進用シートであって、上記シート面の面積が、上記使用対象部位の表面積Ｓより大きめに設定されているとともに、その片方の面に、上記使用対象部位が、その表面積Ｓと略一致する大きさで模式的に表示され、常態では折り畳まれており、その他方のシート面のうち、折り畳まれた状態で表われる少なくとも一つの面に、上記使用対象部位の表面積Ｓについての説明表示部が設けられている販売促進用シートを第２の要旨とする。
【０００８】
さらに、本発明は、第１の要旨にかかる販売促進用シートのなかでも、特に、商品が化粧料であって、シートが８１３ｍｍ×５４６ｍｍの一般新聞紙サイズに設定されており、これが８分の１の大きさに折り畳まれているものを第３の要旨とし、第２の要旨にかかる販売促進用シートのなかでも、特に、商品が化粧料であって、シートが９００〜１２００ｍｍ×６００〜９００ｍｍの長方形に設定されており、その片方の面に、顔の面積が４０００００〜５０００００ｍｍ２　の女性の顔が模式的に表示されているものを第４の要旨とする。
【０００９】
【発明の実施の形態】
つぎに、本発明の実施の形態について説明する。
【００１０】
図１は、本発明の一実施の形態を示している。この販売促進用シートは、新製品であるローションの販売促進に用いられるもので、図２に示すように、一般新聞紙サイズ（タブロイド判ではない）と同一の、８１３ｍｍ×５４６ｍｍの長方形状の紙製シートからなり、常態では、破線で示す折り目に従って２つ折を３回繰り返すことにより、８分の１に折り畳まれている。
【００１１】
上記販売促進用シートを折り畳んだ状態（図１の状態）で表側に表われる面１ａと、裏側に表われる面１ｂには、それぞれ、この販売促進用シートの意味を提示するための所定の表示がなされている。これらの面１ａ，１ｂの配置は、シートを広げた状態では、図２に示すようになる。
【００１２】
また、上記販売促進用シートを広げた状態における裏面には、図３に示すように、紙面いっぱいに、拡大された女性の顔面のイラスト２が表示されている。
【００１３】
つぎに、上記販売促進用シートを折り畳んだ状態で表側に表われる面１ａの表示について説明する。すなわち、この面１ａには、図４に示すように、まず、上段に、「ご存じですか？」という見出し３が表示されており、その下に、女性の顔を模式的に示すイラスト４が表示されている。なお、このイラスト４と、シート裏面に大きく表示されたイラスト２（図３参照）とは、同じものである。そして、上記イラスト４の下に、「お顔の表面積は、な・な・なんと新聞紙を１枚広げた大きさになるんですョ！！」という説明文５が表示されている。
【００１４】
また、上記販売促進用シートを折り畳んだ状態で裏側に表われる面１ｂには、図５に示すように、中央に、この販売促進用シートの販促対象であるローションを模式的に示すイラスト６が表示されており、その左上に、「効果を１００％出すためには、使用量が大切ですョ」という文７ａが書き込まれたしずく形の吹き出し７が表示されている。そして、その下には、太い文字で、「新聞紙１枚分ですからね！」の説明文８が表示されている。さらに、その下には、「・コットンで１００回パッティングしましょう。」という文９ａが書き込まれた吹き出し９が表示されている。
【００１５】
一方、上記イラスト６の右上には、コットンにローションを滴下している状態を模式的に示すイラスト１０が表示されており、その下に、「・化粧水１回の使用量は３ｍｌ　目安はキャップの半分。」という文１１ａと、「・サンプルは、朝晩２回使ったらおしまいョ！」という文１１ｂと、「・化粧水一びんは約１ケ月で使い切りましょう。ヨーイ　スタート」という文１１ｃとが、上下３段に書き込まれた吹き出し１１が表示されている。
【００１６】
なお、中央のイラスト６には、上下方向に目盛り１２が付されており、このローションは、大体１ケ月で使い切るようになっていることが一目でわかるようになっている。
【００１７】
この販売促進用シートを用い、化粧品販売員は、店頭もしくは訪問販売先において、例えばつぎのようにして、ローションの使用方法について説明することができる。すなわち、まず、販促対象であるこのローションに関心を持つ顧客や、購入を決めた顧客等に対し、折り畳まれた販売促進用シートの表側の面１ａ（図４参照）を提示し、女性の顔の表面積が、しわや皮溝を全部伸ばすと、大体、一般新聞紙１枚分の大きさになることを説明する。
【００１８】
つぎに、上記販売促進用シートを１枚に広げて、イラスト２が表示された裏面（図３参照）を顧客に提示して、「これが新聞紙１枚分の大きさなんですよ。これだけの広い面積に塗るのですから、ローションをたっぷりと供給しないと効果が得られないのがわかりますよね。」といった説明を行う。
【００１９】
そして、上記販売促進用シートを再度８分の１に折り畳み、ローションの使用方法についての説明が表示された裏側の面１ｂ（図５参照）を顧客に提示して、ローションの使用方法を詳しく説明する。
【００２０】
このように、上記販売促進用シートによれば、小さく折り畳まれていたシートを、大きく一枚に広げることにより、顔の表面積が、実は新聞紙１枚分という非常に広いものであることを、顧客に強く実感させることができる。このため、顧客は、従来、ローション等の化粧料を顔に塗る場合、メーカー側で定めた１回の使用量よりも控えめに用いることが多かったが、この販売促進用シートによる説明を受けたのちは、ローションの１回の使用量を守り、充分な量のローションを顔面に塗布するようになるため、ローションの効果を充分に得ることができる。
【００２１】
なお、上記の例では、ローションの使用対象である女性の顔面の表面積Ｓが、ちょうど新聞紙１枚分の面積に匹敵することから、販売促進用シートを広げたときの面積が、新聞紙１枚分となるような大きさの紙を用意したが、厳密に新聞紙１枚分と同一面積の紙を用意する必要はなく、多少のずれは差し支えない。例えば、Ｂ２判の紙（５１５ｍｍ×７２８ｍｍ）や地券判の紙（５９１ｍｍ×７５８ｍｍ）等、面積が４４００００ｍｍ２　に近いサイズのシートであれば、好適に用いることができる。
【００２２】
もちろん、上記の例では、販促の対象がローションであり、女性の顔面に塗布して使用するものであるから、女性の顔面の表面積Ｓに合わせて、面積が４５００００ｍｍ２　に近いサイズのシートを用いたが、商品が異なる場合は、その商品が使用する対象部位の表面積を予め算出して、それに匹敵する面積の販売促進用シートを用意する必要がある。例えば、商品がリンスであって、これを髪全体になじませて用いることを宣伝する場合は、販売促進用シートとして、髪全体の表面積Ｓ′に匹敵する面積となるサイズのものを用意しなければならない。
【００２３】
そして、上記販売促進用シートの形状は、上記の例のように長方形である必要はなく、面積が、対象部位の表面積Ｓに略等しいものであれば、どのような形状であっても差し支えない。例えば、図６に示すように、販売促進用シートとして、円形のものを用意し、これを扇形に畳んで顧客に提示したのち、一枚に広げるようにしても、上記の例と同様の効果を得ることができる。
【００２４】
また、上記の例では、販売促進用シートのシート面全体の面積が、女性の顔面の表面積Ｓに略一致するように設定したが、例えば、シート面自体は、新聞紙１枚のサイズより１周り大きなサイズに設定しておき、その裏面に描くイラスト２（図３参照）における女性の顔の面積を、上記表面積Ｓと略一致させるようにしても差し支えない。その場合、化粧品販売員は、「この顔の面積が、実際の顔の表面積なんですよ。」とアピールすることができる。
【００２５】
ちなみに、図３に示すようなイラスト２における顔の面積を、前記表面積Ｓと略一致するように設定する（例えば、顔の面積が４０００００〜５０００００ｍｍ２　になるようにする）には、販売促進用シート全体の大きさを、新聞紙１枚のサイズより大きなサイズ、すなわち、９００〜１２００ｍｍ×６００〜９００ｍｍ程度のシートを用いることが好適である。
【００２６】
なお、上記販売促進用シートのシート材は、繰り返し折り畳んだり広げたりすることのできる強度を備えたものであれば、特に限定するものではない。
【００２７】
そして、上記販売促進用シートの表裏面における表示部の配置、構成等は、上記の例に限らず、適宜に設定することができるが、少なくとも、折り畳んだ状態における表裏面のうちの少なくとも一方の面（上記の例では１ａで示される面）に、その商品の使用対象部位の表面積がとても広いことをアピールする内容の説明表示をしておかなければならない。
【００２８】
【発明の効果】
以上のように、本発明の販売促進用シートは、小さく折り畳まれていたシートを、大きく一枚に広げることにより、その商品を使用する部位の表面積が、いかに見掛けの面積より広いかということを、顧客に強く実感させることができる。このため、顧客は、この販売促進用シートによる説明を受けたのちは、商品の１回の使用量を守り、充分な量の商品を対象部位に対し塗布するようになるため、商品本来の効果を充分に得ることができる。
【図面の簡単な説明】
【図１】本発明の一実施例の斜視図である。
【図２】上記実施例を広げた状態を示す平面図である。
【図３】上記実施例を広げた状態における裏面の説明図である。
【図４】上記実施例を折り畳んだ状態における表側の面の説明図である。
【図５】上記実施例を折り畳んだ状態における裏側の面の説明図である。
【図６】本発明の他の実施例を広げた状態を示す平面図である。
【図７】上記実施例を折り畳んだ状態を示す平面図である。
【符号の説明】
１ａ　面
【図１】
2004020985.tif 000003
【図２】
2004020985.tif 000004
【図３】
2004020985.tif 000005
【図４】
2004020985.tif 000006
【図５】
2004020985.tif 000007
【図６】
2004020985.tif 000008
【図７】
2004020985.tif 000009